(57)【要約】【課題】立体感があり、違和感を軽減し得る表示を行うことが可能な表示装置を提供する。【解決手段】第１の発光表示像Ｌ１を形成する第１の発光表示手段１と、第２の発光表示像Ｌ２を形成する第２の発光表示手段２と、第１の発光表示像Ｌ１は観察者側に透過し第２の発光表示像Ｌ２は観察者Ｐ側に反射する透過型反射パネル３とを備え、透過型反射パネル３は観察者Ｐ側とは反対側に向けて凹む球面からなり観察者Ｐから見たとき第１の発光表示像Ｌ１の手前に第２の発光表示像Ｌ２の倒立実像Ｌ２ｈを反射形成する反射凹部３１を有してなる【選択図】図２
2009150858.tif 000002
【特許請求の範囲】
【請求項１】
観察者に対面するように配置され第１の発光表示像を形成する第１の発光表示手段と、
この第１の発光表示手段を遮らないよう配置され第２の発光表示像を形成する第２の発光表示手段と、
前記観察者から見たとき前記第１の発光表示手段を覆うと共に前記第２の発光表示手段に対向するように配置され前記第１の発光表示像は観察者側に透過し前記第２の発光表示像は前記観察者側に反射する透過型反射パネルとを備え、
前記透過型反射パネルは前記観察者側とは反対側に向けて凹む球面からなり前記観察者から見たとき前記第１の発光表示像の手前に前記第２の発光表示像の倒立実像を反射形成する反射凹部を有してなることを特徴とする表示装置。
【請求項２】
前記第１の発光表示手段が指針とこの指針の作動軌道に沿って円弧状に配列された指標部とで前記第１の発光表示像を形成する指針式発光表示手段からなり、前記観察者から見たとき前記倒立実像が前記指標部の内側に表示されることを特徴とする請求項１記載の表示装置。
【発明の詳細な説明】
【技術分野】
【０００１】
本発明は、例えば車両のダッシュボードに搭載され、観察者（主にドライバー）に表示像として各種情報を表示する表示装置に関するもので、特に発光表示像を観察者に直接表示するタイプの発光表示手段と、発光表示像を透過型反射部材を介して観察者に投影表示するタイプの発光表示手段とを組み込んでなる表示装置に係わる。
【背景技術】
【０００２】
この種の表示装置として、例えば下記特許文献１に記載されているものが知られている。この表示装置は、観察者に対面するように配置され発光する指針式表示像（第１の発光表示像）を形成する指針式表示器（第１の発光表示手段）と、この指針式表示器よりも観察者に近い位置で指針式表示器を遮らないよう配置され発光する装飾表示像（第２の発光表示像）を形成する発光表示器（第２の発光表示手段）と、観察者から見たとき指針式表示器を覆うと共に発光表示器に対向するように配置され指針式表示像は観察者側に透過し装飾表示像は観察者側に反射して投影表示する透過型反射パネルとを備えている。
【特許文献１】特開２００５−３００３５９号公報（図２）
【発明の開示】
【発明が解決しようとする課題】
【０００３】
しかしながら上記特許文献１では、透過型反射パネルは平面であるため、装飾表示像に立体感が乏しく、しかも透過型反射パネルを通じて反射する装飾表示像は、透過型反射パネルを基準としたしたとき、透過型反射パネルと発光表示器との光路長分奥まった位置に虚像として視認されるため、観察者によっては違和感を覚えてしまうという問題がある。
本発明はこの点に着目してなされたもので、その主な目的は、立体感があり、違和感を軽減し得る表示を行うことが可能な表示装置を提供することにある。
【課題を解決するための手段】
【０００４】
本発明は、前述した課題を解決するため、観察者に対面するように配置され第１の発光表示像を形成する第１の発光表示手段と、この第１の発光表示手段を遮らないよう配置され第２の発光表示像を形成する第２の発光表示手段と、前記観察者から見たとき前記第１の発光表示手段を覆うと共に前記第２の発光表示手段に対向するように配置され前記第１の発光表示像は観察者側に透過し前記第２の発光表示像は前記観察者側に反射する透過型反射パネルとを備え、前記透過型反射パネルは前記観察者側とは反対側に向けて凹む球面からなり前記観察者から見たとき前記第１の発光表示像の手前に前記第２の発光表示像の倒立実像を反射形成する反射凹部を有してなることを特徴とする。
【０００５】
また本発明は、前記第１の発光表示手段が指針とこの指針の作動軌道に沿って円弧状に配列された指標部とで前記第１の発光表示像を形成する指針式発光表示手段からなり、前記観察者から見たとき前記倒立実像が前記指標部の内側に表示されることを特徴とする。
【発明の効果】
【０００６】
本発明によれば、立体感があり、違和感を軽減し得る表示を行うことが可能な表示装置を提供することができる。
【発明を実施するための最良の形態】
【０００７】
以下、添付図面に基づいて、本発明を適用した表示装置の実施形態を説明する。
【０００８】
図１、図２は、本発明の一実施形態を示すもので、図１は本実施形態による表示装置の正面図、図２は図１のＡ−Ａ断面図である。
【０００９】
図１及び図２において、本実施形態による表示装置は、例えば自動車のダッシュボードに搭載される速度計からなるもので、第１の発光表示手段１と、第２の発光表示手段２と、透過型反射パネル３とから構成されている。
【００１０】
第１の発光表示手段１は、例えば指針１１とこの指針１１の作動軌道に沿って円弧状に配列された指標部１２とで第１の発光表示像Ｌ１を形成する指針式発光表示手段からなり、観察者Ｐに対面するように設けられている。
【００１１】
指針１１は例えばステッピングモータを通じて軸回り回転（作動）し、指標部１２は周知のスクリーン印刷等の手段により基板上に設けられている。この場合、指針１１は、その先端側だけが発光するように他の箇所は遮光性のカバーによって覆われている。このため、指針１１の先端だけが第１の発光表示像Ｌ１として視認される。
【００１２】
また第１の発光表示手段１は、指針１１と指標部１２とを照明することで第１の発光表示像Ｌ１を形成させる光源も含んでいる。
【００１３】
第２の発光表示手段２は、例えば各種警報・報知情報からなる第２の発光表示像Ｌ２を形成する液晶パネル等の電子式フラットディスプレイからなり、この第１の発光表示手段１を遮らないようにその手前に配置されている。
【００１４】
また第１の発光表示手段２は、前記電子式フラットディスプレイを照明して第２の発光表示像Ｌ２を形成させる光源も含んでいる。
【００１５】
透過型反射パネル３は、例えば合成樹脂からなる基材に光透過性を有する反射膜を形成したハーフミラーからなり、観察者Ｐから見たとき第１の発光表示手段１を覆うと共に第２の発光表示手段２に対向するように第１の発光表示手段１の手前に配置され、第１の発光表示像Ｌ１は観察者Ｐ側に透過し、第２の発光表示像Ｌ２は観察者Ｐ側に反射する。なお透過型反射パネル３は、第１の発光表示像Ｌ１は観察者Ｐ側に透過し、第２の発光表示像Ｌ２は観察者Ｐ側に反射するものであれば、任意のものを用いることができる。
【００１６】
この透過型反射パネル３には、観察者Ｐ側とは反対側に向けて凹む球面からなる反射凹部３１が形成されており、この反射凹部３１で第２の発光表示像Ｌ２を反射することにより、観察者Ｐから見たとき第１の発光表示像Ｌ１の手前に第２の発光表示像Ｌ２の倒立実像Ｌ２ｈを反射形成する（図１参照）。
【００１７】
この倒立実像Ｌ２ｈは、球面ミラーとして機能する反射凹部３１の焦点Ｆよりも遠方で、球面ミラーによる倒立実像を観察者Ｐが視認可能な位置に第２の発光表示手段２を位置させることにより形成されるもので、球面ミラーの結像原理としては、例えば特許第２９０３８７１号公報に記載されている。
【００１８】
この実施形態では、第２の発光表示手段２が円形の背景（例えば赤色）内にシートベルトの着用を促す絵マークを配した、シートベルト警報マークからなる第２の発光表示像Ｌ２を表示する例を示しており、この場合、反射凹部３１によって反射された第２の発光表示像Ｌ２は、観察者Ｐから見たとき、第１の発光表示像Ｌ１の手前であって、円弧状に配列された指標部１２の内側に、全体が赤色の球体のように立体感を有する倒立実像Ｌ２ｈとして視認される。
【００１９】
なお本実施形態では、第２の発光表示手段２が電子式フラットディスプレイからなるため、第２の発光表示像Ｌ２の表示位置や像の歪み補正といった調整が容易にでき、また第２の発光表示像Ｌ２を動画とする等の応用も容易である。
【００２０】
また本実施形態では、この倒立実像Ｌ２ｈを指標部１２の内側で且つ指針１１の発光表示像と重ならない位置に表示させることにより、第１の発光表示像Ｌ１の読み取りを阻害しないようにできる。
【００２１】
また本実施形態では、シートベルト警報マークからなる第２の発光表示像Ｌ２を例示したが、第２の発光表示像Ｌ２は、基本的には任意の形状や内容を選択できる。但し、反射凹部３１が球面からなることから、円形の表示像が好ましい。
【００２２】
以上のように、本実施形態では、観察者Ｐに対面するように配置され第１の発光表示像Ｌ１を形成する第１の発光表示手段１と、この第１の発光表示手段１を遮らないよう配置され第２の発光表示像Ｌ２を形成する第２の発光表示手段２と、観察者Ｐから見たとき第１の発光表示手段１を覆うと共に第２の発光表示手段２に対向するように配置され第１の発光表示像Ｌ１は観察者側に透過し第２の発光表示像Ｌ２は観察者Ｐ側に反射する透過型反射パネル３とを備え、透過型反射パネル３は観察者Ｐ側とは反対側に向けて凹む球面からなり観察者Ｐから見たとき第１の発光表示像Ｌ１の手前に第２の発光表示像Ｌ２の倒立実像Ｌ２ｈを反射形成する反射凹部３１を有してなることにより、第１の発光表示像Ｌ１からなる実像の手前に第２の発光表示像Ｌ２を倒立実像Ｌ２ｈとして表示でき、これにより第２の発光表示像Ｌ２を立体的に見せることができると共に第２の発光表示像Ｌ２が虚像として視認されることによる違和感を軽減できる。特に第２の発光表示像Ｌ２が警報情報や報知情報の場合、立体表示により注意喚起性を高めることができる。
【００２３】
また本実施形態では、第１の発光表示手段１が指針１１とこの指針１１の作動軌道に沿って円弧状に配列された指標部１２とで第１の発光表示像Ｌ１を形成する指針式発光表示手段からなり、観察者Ｐから見たとき倒立実像Ｌ２ｈが指標部１２の内側に表示されることにより、指針式表示を行う第１の発光表示像Ｌ１の読み取りを阻害しないようにでき、視認性を高めることができる。
【図面の簡単な説明】
【００２４】
【図１】本発明の第１の実施形態による表示装置の正面図。
【図２】図１のＡ−Ａ断面図。
【符号の説明】
【００２５】
１  第１の発光表示手段
２  第２の発光表示手段
３  透過型反射パネル
１１  指針
１２  指標部
３１  反射凹部
Ｆ  焦点
Ｌ１  第１の発光表示像
Ｌ２  第２の発光表示像
Ｌ２ｈ  倒立実像
Ｐ  観察者
【図１】
2009150858.tif 000003
【図２】
2009150858.tif 000004